(57)【特許請求の範囲】
【請求項１】
乗用走行機体の前部に苗を複数段に載置収容する予備苗のせ台を配備した田植機の予備苗収容構造において、
前記予備苗のせ台に備えられた複数の苗受け体のうち、一部の苗受け体を支柱に固定する固定式に構成するとともに、一部の苗受け体を支柱に脱着可能に支持させる脱着式に構成し、これら苗受け体を上下複数段に配備した第１形態と、脱着式の苗受け体を固定式の苗受け体に前後直列に連結して機体前方に延出した第２形態とに苗受け形態を切換え可能に構成し、
前記脱着式の苗受け体を、苗受け姿勢では前記固定式の苗受け体との連結を解除できずに、苗受け姿勢から外れた所定の姿勢に姿勢変更した状態で前記固定式の苗受け体との連結を解除できるよう構成してあることを特徴とする田植機の予備苗収容構造。
【請求項２】
前記脱着式の苗受け体を前記固定式の苗受け体に枢支連結して前記第２形態にするとともに、前記脱着式の苗受け体を苗受け姿勢から上方に揺動させた所定の脱着用姿勢で、前記固定式の苗受け体との枢支連結を解除できるよう構成してある請求項１記載の田植機の予備苗収容構造。
【請求項３】
前記脱着式の苗受け体を所定の脱着用姿勢に揺動した状態で横移動させて枢支連結を解除するよう構成してある請求項２記載の田植機の予備苗収容構造。
【請求項４】
前記第２形態において、前記固定式の苗受け体に連結した前記脱着式の苗受け体の横移動を係合阻止するロック手段を備えてある請求項１〜３のいずれか一項に記載の田植機の予備苗収容構造。
【請求項５】
前記第２形態において前後直列状に並べられた前記苗受け体の苗受け面が全体的に後下がり傾斜するよう構成してある請求項１〜４のいずれか一項に記載の田植機の予備苗収容構造。
【請求項６】
前記第２形態において前後直列状に並べられた前記苗受け体の苗受け面全体が、側面視において下方に凸の湾曲状に構成してある請求項５記載の田植機の予備苗収容構造。
【請求項７】
前記第２形態において前記脱着式の苗受け体の上下への姿勢変化を阻止する姿勢保持手段を備えてある請求項１〜６のいずれか一項に記載の田植機の予備苗収容構造。
【発明の詳細な説明】
【技術分野】
【０００１】
本発明は、乗用走行機体の前部に苗を複数段に載置収容する予備苗のせ台を配備した田植機の予備苗収容構造に関する。
【背景技術】
【０００２】
苗を複数段に載置収容する予備苗のせ台は、機体後部の苗植付け装置への苗の供給のためには運転座席に近くに位置していることが望ましく、また、畦から予備苗のせ台への苗の供給のためには予備苗のせ台は機体前方に突出していることが望ましい。これを満足させるために、予備苗のせ台の支柱を四連リンク構造にして前後に揺動可能に構成したものが開発されている（例えば、特許文献１参照）。
【特許文献１】特開２００４−１１３０７１号公報
【発明の開示】
【発明が解決しようとする課題】
【０００３】
上記予備苗収容構造は、畦から予備苗のせ台への苗の供給に便利に使用することができるのであるが、植付け作業を開始する前に空の苗のせ台へ苗を供給する作業には未だ不便さが残るものであった。つまり、空の苗のせ台へ苗を供給する場合、先ず、予備苗のせ台を前方に移動させて、ここに畦から苗を供給する。次いで、予備苗のせ台を後方に移動させ、予備苗のせ台に収容された苗を取り出して苗のせ台に供給する。
【０００４】
近年の田植機の苗のせ台は、苗搭載枚数を多くするために全長を長くしたり、延長苗のせ板を装備する、等して、１条に対して２枚の苗（マット苗）を縦列載置できるよう構成されたものが多い。例えば、８条植え仕様の田植機においては、当初、苗のせ台に１６枚の苗を載置することができるようになっている。しかし、８条植え仕様の田植機では、予備苗のせ台の強度、機体の重量バランスや安定性、等を考慮して、４段積みの予備苗のせ台を機体前部の左右に備えることが多く、この予備苗のせ台に載置できる苗の枚数は８枚となっている。従って、予備苗のせ台に１回苗を供給しただけでは苗のせ台を満載状態にすることができず、予備苗のせ台をもう一度前方に移動させて苗の供給を受け、再び後方に移動させる必要があり、空の苗のせ台に苗を満載するために予備苗のせ台を２回前後に移動させることになって、煩わしい作業となるものであった。
【０００５】
本発明は、このような点に着目してなされたものであって、畦から予備苗のせ台への苗の供給、および、予備苗のせ台から後方の苗のせ台への苗の供給を容易に行うことができる予備苗収容構造を提供することを主たる目的としている。
【課題を解決するための手段】
【０００６】
第１の発明は、乗用走行機体の前部に苗を複数段に載置収容する予備苗のせ台を配備した田植機の予備苗収容構造において、
前記予備苗のせ台に備えられた複数の苗受け体のうち、一部の苗受け体を支柱に固定する固定式に構成するとともに、一部の苗受け体を支柱に脱着可能に支持させる脱着式に構成し、これら苗受け体を上下複数段に配備した第１形態と、脱着式の苗受け体を固定式の苗受け体に前後直列に連結して機体前方に延出した第２形態とに苗受け形態を切換え可能に構成し、
前記脱着式の苗受け体を、苗受け姿勢では前記固定式の苗受け体との連結を解除できずに、苗受け姿勢から外れた所定の姿勢に姿勢変更した状態で前記固定式の苗受け体との連結を解除できるよう構成してあることを特徴とする。
【０００７】
上記構成によると、植付け作業の当初は、圃場に乗り入れた乗用走行機体を、機体前端をできるだけ畦に近づく位置まで寄せて、複数の苗受け体を前後直列に並べられて機体前方に延出された第２形態に切換える。畦の作業者は前後直列に並べられた苗受け体の前部から苗を供給して、縦列状に順次後方に押し動かす。乗用走行機体に搭乗している運転作業者は、最後部の苗受け体に到達した苗を順次取り出して後方の苗のせ台に供給する。
【０００８】
苗植付け装置の苗のせ台に苗が満載されると、苗受け体を第１形態に戻して苗受け体に予備の苗を載置するか、あるいは、苗受け体を第２形態のままで予備の苗を前後縦列状に載置した状態で植付け作業に移る。
植付け作業に伴って苗のせ台の苗が消費されると適時、運転作業者は予備苗のせ台に載置収容された苗を取り出して苗のせ台に供給する。予備苗のせ台の苗が無くなるか、残り少なくなると、次に機体方向転換のために畦に近寄った際に、畦から予備苗のせ台への苗の供給を行う。
【０００９】
上記第２形態において、脱着式の苗受け体は苗受け姿勢では固定式の苗受け体から外れることはなく、畦からの苗の供給が多少乱暴に行われても脱着式の苗受け体が不用意に脱落してしまうことはない。脱着式の苗受け体を人為的に所定の脱着用姿勢に変更すれば、この苗受け体を固定式の苗受け体から外して段積み用の第１形態に戻すことができる。
【００１０】
従って、第１の発明によると、複数の苗受け体を第２形態に切換えることで、畦から予備苗のせ台への苗の供給、および、予備苗のせ台から後方の苗のせ台への苗の供給を容易に行うことができる。苗受け形態の切換えは一部の苗受け体の脱着によって簡単容易に行うことができるとともに、脱着式の苗受け体は機体の動揺や傾斜によって不用意に外れることなく確実に第２形態に保持しておくことができ、畦からの苗の供給を確実に行うことができるとともに、第２形態のままでの作業走行も可能となって作業中の苗収容形態が拡がり、実用植えの利便性が高いものとなる。
【００１１】
第２の発明は、上記第１の発明において、
前記脱着式の苗受け体を前記固定式の苗受け体に枢支連結して前記第２形態にするとともに、前記脱着式の苗受け体を苗受け姿勢から上方に揺動させた所定の脱着用姿勢で、前記固定式の苗受け体との枢支連結を解除できるよう構成してあるものである。
【００１２】
上記構成によると、支柱から取外された脱着式の苗受け体を所定の脱着用姿勢にして固定式の苗受け体に枢支連結し、その後、枢支した脱着式の苗受け体を苗受け姿勢まで下方に揺動させることで第２形態にすることができる。第２形態において、脱着式の苗受け体を所定の脱着用姿勢まで上方に揺動させれば、固定式の苗受け体との枢支連結を解除することができ、その後、取外した脱着式の苗受け体を支柱に取り付けることで段積み用の第１形態に戻すことができる。
【００１３】
従って、第２の発明によると、苗受け形態に切換えが簡単容易に行うことができ、第１の発明の上記効果を助長する。
【００１４】
第３の発明は、上記第２の発明において、
前記脱着式の苗受け体を所定の脱着用姿勢に揺動した状態で横移動させて枢支連結を解除するよう構成してあるものである。
【００１５】
上記構成によると、苗受け体の枢支連結およびその解除を簡単容易に行うことができ、上記第２の発明を容易に実施することができる。
【００１６】
第４の発明は、上記第１〜３のいずれか一つの発明において、
前記第２形態において、前記固定式の苗受け体に連結した前記脱着式の苗受け体の横移動を係合阻止するロック手段を備えてあるものである。
【００１７】
上記構成によると、第２形態において脱着式の苗受け体が不用意に上下動しても横ずれしたり外れたりすることがなく、畦からの苗供給を確実に行うことができるとともに、第２形態のままでの作業走行も可能となって作業中の苗収容形態が拡がる。
【００１８】
第５の発明は、上記第１〜４のいずれか一つの発明において、
前記第２形態において前後直列状に並べられた前記苗受け体の苗受け面が全体的に後下がり傾斜するよう構成してあるものである。
【００１９】
上記構成によると、苗受け体を第２形態にした苗受け体での後方への苗の移動を円滑に行うことができ、畦から機体に搭乗している運転作業者への苗の供給を円滑迅速に行うことができる。
【００２０】
第６の発明は、上記第５の発明において、
前記第２形態において前後直列状に並べられた前記苗受け体の苗受け面全体が、側面視において下方に凸の湾曲状に構成してあるものである。
【００２１】
上記構成によると、乗用走行機体が重量バランスによって後下がり傾斜することで、第２形態の苗受け体は、畦側ほどきつい後下がり傾斜となり、畦から苗受け体への苗の供給が円滑容易になる。運転作業者に近い後部の苗受け体は後下がり傾斜がゆるく、あるいは、水平に近いものとなり、後方に移動する苗が停止しやすくなり、苗受け体の後端にストッパを設けても苗をストッパで衝撃少なく受け止めることができ、苗の床土崩れを未然に回避する有効を期待することができる。
【００２２】
第７の発明は、上記第１〜６のいずれか一つの発明において、
前記第２形態において前記脱着式の苗受け体の上下への姿勢変化を阻止する姿勢保持手段を備えてあるものである。
【００２３】
上記構成によると、第２形態での走行中に機体動揺などによって苗受け体が上下動することが阻止され、苗受け体が不用意に外れてしまうことを防止できる。
【発明を実施するための最良の形態】
【００２４】
図１に、本発明に係る予備苗収容構造を備えた施肥装置付き乗用型田植機の側面が、図２にその平面がそれぞれ示されている。この乗用型田植機は、前輪１と後輪２を備えた４輪駆動式の乗用走行機体３の後部に、油圧シリンダ４で駆動される平行四連リンク構造のリンク機構５を介して苗植付け装置６が昇降自在に連結された基本構造を備え、乗用走行機体３の後部に施肥装置７が搭載されるとともに、乗用走行機体３の前部における左右両側に２組の予備苗のせ台８が立設装備されている。
【００２５】
乗用走行機体３の前部には、エンジン９を収容した原動部１０が設けられるとともに、機体後部に運転座席１１が設けられ、運転座席１１の足元から原動部１０の左右両脇に亘って配備されたステップ１２の左右横外側には、下方を透視可能なスノコ状に形成された拡張ステップ１３が備えられている。
【００２６】
苗植付け装置６は８条植え仕様に構成されており、８条分のマット状の苗Ｆを並列載置して一定ストロークで往復横移動される苗のせ台１５、苗のせ台１５の下端から１株分づつ苗Ｆを切り出して田面に押し込む８組の回転式植付け機構１６、田面の植付け箇所を均す整地フロート１７、等を備えている。
【００２７】
施肥装置７は、運転座席１１の後方に配備された肥料ホッパ１８、肥料ホッパ１８に貯留された粒状肥料を所定量づつ繰出す回転式の繰出し機構１９、繰出された肥料を風力搬送するための電動ブロワ２０、風力搬送される肥料を整地フロート１７に備えた作溝器２１に導く供給ホース２２、等を備えており、各条の植付け苗の横側近くに作溝器２１で形成した施肥溝に肥料を送り込んで埋設するよう構成されている。
【００２８】
左右の各予備苗のせ台８は、それぞれ４枚の苗Ｆを育苗箱ごと載置できるよう構成されており、その詳細な構造を以下に説明する。
予備苗のせ台８は、乗用走行機体３から立設された支柱２５と、この支柱２５の機体横外側に上下４段に配備された苗受け体２６とで構成されており、図１，２，５に示すように、全部の苗受け体２６が上下４段に配備された第１形態と、図３，４に示すように最上段を除く下方３段の苗受け体２６が前後直列に並べて機体前方に延出された第２形態とに切換え可能に構成されている。なお、以後の説明においては、図面との対比を容易にするために、最上段を除く上段、中段、下段の苗受け体２６にそれぞれ補助符号(u)，(m)，(d)を付す。
【００２９】
図５に示すように、最上段の苗受け体２６は、支柱２５の上部に支点ｐ周りに上下揺動可能に枢支連結されており、略水平姿勢で横外方に張り出された苗受け作用状態と、略鉛直に起立揺動した退避状態とに切換え可能となっている。
【００３０】
最上段の苗受け体２６および下方３段の苗受け体２６(u)，(m)，(d)は同一仕様に樹脂成型されたものが使用されており、図６，７，９に示すように、中空二重壁状に形成された上下に幅広い左右の側枠２６ａの間が、前後方向に向かう多数の縦リブ２６ｂに多数の横リブ２６ｃを斜めに交差させた格子状に構成されている。最上段の苗受け体２６を除く下方３段の苗受け体２６(u)，(m)，(d)においては、側枠２６ａの内方近くの前後方向３箇所に横軸心周りに遊転自在にローラ２８が配備されている。中段の苗受け体２６(m)が支柱２５から横外方に延出されたステー２９に連結固定されるのに対して、上段の苗受け体２６(u）および下段の苗受け体２６(d)は支柱２５に以下のようにして脱着自在に支持されている。
【００３１】
図７（イ），図１０に示すように、上段の苗受け体２６(u）および下段の苗受け体２６(d)の機体内側下方には丸パイプ材からなる前後に長い支持枠３０がボルト連結され、支持枠３０から上向きに突設された前後一対の連結金具３１が前後の支柱２５に脱着可能にピン連結されるようになっている。連結金具３１は支柱２５の横外方から外嵌可能な横断面形状コの字形に形成されるとともに、その上部にはダルマ孔状に形成された連結孔３２が備えられている。他方、支柱２５の横外面には前記連結金具３１における連結孔３２の大径部を挿通可能な頭付きピン３３が突設されている。
【００３２】
前後の連結金具３１を支柱２５に外嵌しながら連結孔３２を頭付きピン３３に挿通して押し下げることで、上段の苗受け体２６(u）および下段の苗受け体２６(d)を支柱２５に固定支持することができ、連結金具３１を押し上げて連結孔３２の大径部を頭付きピン３３から抜き外すことで、上段の苗受け体２６(u）および下段の苗受け体２６(d)を支柱２５から取外すことができるようになっている。
【００３３】
図１，１０に示すように、中段の苗受け体２６(m)の前端部および後端部に左右一対づつ連結金具３４，３５が上向きに突設されるとともに、上段の苗受け体２６(u）の後端部には左右一対の連結金具３６が上向きに突設され、下段の苗受け体２７(d)の前端部には左右一対の連結金具３７が上向きに突設されている。
【００３４】
図１２に示すように、連結金具３４，３５，３６，３７の各対のうち、一方は横向きの連結孔３８を備えた孔付き連結金具に構成されるとともに、他方は連結孔３８に挿通可能な連結ピン３９を備えたピン付き連結金具に構成されており、以後の説明においては、孔付きのものには補助符号(h)を付し、ピン付きのものには補助符号(p)を付すものとする。
孔付きの連結金具３４(h)，３５(h)，３６(h)，３７(h)が同形状に構成されるとともに、ピン付きの連結金具３４(p)，３５(p)，３６(p)，３７(p)が同形状に構成されている。
【００３５】
図３，１１に示すように、支柱２５から取外した上段の苗受け体２６(u）における左右の連結金具３６を中段の苗受け体２７(m)における左右の連結金具３４にピン連結することで、上段の苗受け体２６(u）を中段の苗受け体２７(m)の前端に連なった第２形態にし、支柱２５から取外した下段の苗受け体２６(d)における左右の連結金具３７を中段の苗受け体２７(m)における左右の連結金具３５にピン連結することで、下段の苗受け体２６(d)を中段の苗受け体２７(m)の後端に連なった第２形態にすることができる。
【００３６】
連結金具３４，３６における左右のピン連結構造、および、連結金具３５，３７における左右のピン連結構造は、左右および前後向き姿勢が違うだけで同仕様となっており、中段の苗受け体２６(m)と下段の苗受け体２６(d)との機体外側でのピン連結構造を代表として、図１４，１５に基づいて説明する。
【００３７】
ピン付きの連結金具３５(p)におけるピン枢支部の下方位置には接当部４０が折り出し形成されるとともに、この接当部４０から上向きに突出する係止突起４０ａが設けられ、他方、孔付きの連結金具３７(h)におけるピン枢支部の下方位置には接当部４１が折り出し形成されるとともに、下向きに突出する係止片４２が設けられている。
【００３８】
中段の苗受け体２６(m)における後端部でのピン連結状態において、ピン付きの連結金具３５(p)の接当部４０に孔付き連結金具３７(h)の接当部４１が受け止め支持されることで、下段の苗受け体２６(d）の荷重が中段の苗受け体２６(m)に支持される。中段の苗受け体２６(m)における前端部でのピン連結状態においても同様にして、上段の苗受け体２６(u）の荷重が中段の苗受け体２６(m)に支持される。
【００３９】
この第２形態においては、ピン付きの連結金具３５(p)の係止突起４０ａが、対応する孔付きの連結金具３７(h)の係止片４２にそれぞれ左右から係止されて、下段の苗受け体２６(d)が中段の苗受け体２７(m)に対してピン挿抜方向に横移動することが阻止されるようになっている。
【００４０】
孔付きの連結金具３７(h)の外周部には凹部ｃが切欠き形成されている。この凹部ｃは、苗受け体２６(d)がピン枢支点周りに上方に９０°以上、上方に揺動された所定の揺動範囲にある時、係止突起４０ａと重複し、この状態で苗受け体２６(d)を横外方に動かすことで中段の苗受け体２７(m)から抜き外すことができるようになっている。つまり、下段（および上段）の苗受け体２６(d)は、第２形態における苗受け姿勢から外れた所定の姿勢に姿勢変更しないと、中段の苗受け体２７(m)に対して脱着することができないように構成されているのである。
【００４１】
上記のように中段の苗受け体２６(m)の前後端に上段の苗受け体２６(u）と下段の苗受け体２６(d)とを直列状にピン連結した第２形態では、図３に示すように、上段の苗受け体２６(u）は中段の苗受け体２６(m)に対してやゝ前上がり傾斜姿勢に接当支持されるとともに、下段の苗受け体２６(d)は中段の苗受け体２６(m)に対してやゝ後上がり傾斜姿勢に接当支持されるようになっている。
【００４２】
このように、段積み状の第１形態と前後直列状の第２形態とに苗受け形態が切換え可能に構成された予備苗のせ台８は、例えば、次のように使用される。
植付け作業の当初は、圃場に乗り入れた乗用走行機体３を、機体前端をできるだけ畦に近づく位置まで寄せる。次に、予備苗のせ台８における最上段の苗受け体２６を上方に揺動させて退避状態に切換え保持し、下方３段の苗受け体２６(u)，(m)，(d)を前後直列に並べられて機体前方に延出された第２形態に切換える。
【００４３】
畦の作業者は前後直列に並べられた苗受け体２６(u)，(m)，(d)の前部から苗Ｆを供給して、縦列状に順次後方に押し動かす。乗用走行機体３に搭乗している運転作業者は、最後部の苗受け体２６(d)に到達した苗Ｆを順次取り出して機体後方の苗のせ台１５に供給する。なお、苗Ｆは育苗箱に入ったままの状態か、育苗箱から取り出されて苗すくい板に載置した状態で取り扱われることになる。
【００４４】
苗のせ台１５に苗Ｆが満載されると、苗受け体２６(u)，(m)，(d)を上下段積み状の第１形態に戻して苗Ｆを段積み載置した状態、あるいは、第２形態のまま苗Ｆを前後縦列状に載置した状態で植付け作業に移る。この場合、畦が低くて乗用走行機体３の前端を畦の上に重複させるまで接近させることができる水田においては、予備苗のせ台８が第１形態でも畦から予備苗のせ台８への苗Ｆの供給を容易に行うことができるが、乗用走行機体３を畦に十分近く寄せることがむずかしい水田においては、予備苗のせ台８を第２形態にして植付け作業を行うとよい。
【００４５】
植付け作業に伴って苗のせ台１５の苗Ｆが消費されると、運転作業者は予備苗のせ台８に載置された苗Ｆを取り出して苗のせ台１５に供給する。予備苗のせ台８の苗Ｆが無くなるか、残り少なくなると、次に機体方向転換のために畦に近寄った際に、畦から予備苗のせ台８への苗Ｆの供給を行う。
【００４６】
各苗受け体２６における縦リブ２６ｂの上端は横リブ２６ｃの上端より高く位置させて形成されるとともに、前記ローラ２８が縦リブ２６ｂより少し突出して装備され、上記第２形態において、前後直列に並べられた苗受け体２６に沿って苗Ｆを押し動かす際に、苗Ｆ（育苗箱）が横リブ２６ｃに引っ掛かるようなことなく円滑に順送りすることができるようになっている。
【００４７】
４段の苗受け体２６は支柱２５に対してやや後下がり傾斜した姿勢で支持されるとともに、下方３段の苗受け体２６(u)，(m)，(d)を前後直列状の第２形態に切換えた状態において、中段の苗受け体２６(m)の前後に連結される苗受け体２６(u)，(d)は、その遊端側がやゝ上がった屈折姿勢で連結されており、苗受け体２６(u)，(m)，(d)の苗受け面全体が側面視において下方に凸の湾曲状となっている。田植機全体の前後重量バランスはやゝ後寄りとなっていて、圃場内では機体全体が多少後下がり傾斜するので、第２形態の苗受け体２６(u)，(m)，(d)における苗受け面は、最後部の苗受け体２６(d)が略水平、あるいは、僅かに後上がり傾斜姿勢となり、その前方の苗受け体２６(u)，(m)は前方ほど後下がり傾斜がきついものとなり、畦から供給される苗Ｆの後方移動を円滑に行えるようになっている。
【００４８】
上段の苗受け体２６(u)の前端部、および、下段の苗受け体２６(d)の後端部には、丸棒材を屈曲形成してなるストッパ４３が装着固定されるとともに、中段の苗受け体２６(m)における左右の側枠２７ａの前後端部、上段の苗受け体２６(u)の後端部、および、下段の苗受け体２６(d)の前端部には、丸棒材をＵ形に屈曲形成してなる可動ストッパ４４が横スライド可能、かつ、回動可能に挿通支持されている。この可動ストッパ４４は、図８に示すように、外嵌装着したバネ４５によって外方にスライド付勢されており、その折返し部４４ａの先端を側枠２７ａに形成された上部係止孔４６に係合させることで、苗受け面より上方に突出した作用姿勢に保持され、折返し部４４ａの先端を側枠２７ａに形成された下部係止凹部４７に係合させるか、折り畳み回動しておくことで、苗受け面から退避した格納姿勢に保持されるようになっている。
【００４９】
苗を段積み載置する前記第１形態においては各苗受け体２６ごとに可動ストッパ４４を苗受け面上方に突出させることで、載置収容した苗Ｆが前後にずり落ちるのをストッパ４３および可動ストッパ４４で受止め阻止する。苗Ｆを前後方向に縦列移動させる前記第２形態においては、苗Ｆの移動の妨げとなる苗受け体２７(m)における前後の可動ストッパ４４、最前部の苗受け体２７(u)における後方の可動ストッパ４４、および、最後部の受け体２７(d)における前方の可動ストッパ４４を格納姿勢に切換えておく。
【００５０】
機体前側の支柱の上部には支持ロッド４８が枢支連結されている。この支持ロッド４８は、段積み状の上記第１形態では、バネクランプ４９を介して支柱２５に沿った姿勢に保持されており、前後直列に並べられた第２形態において、最前方の苗受け体２６(u)における前方の連結金具３１の連結孔３２に、前方に振り出した支持ロッド４８の下端部が係止連結され、空になった苗受け体２６(u)が機体の動揺などによって不用意に大きく上下動することが防止されている。なお、最後部の苗受け体２６(d)を上記と同様に規制してもよいが、運転作業者が機体横方から乗降する際にこの苗受け体２６(d)を持上げて上方に揺動させることになるので、第２形態における最後部の苗受け体２６(d)を支持ロッド４８で連結支持しない方がむしろ使い勝手がよいものとなる。
【００５１】
〔他の実施例〕
【００５２】
（１）図１７に示すように、ピン付きの連結金具３５(p)の外側に支持ピン５０を連結固定するとともに、この支持ピン５０にバネ板材からなるフック状のクランプ金具５１を回動自在に装着し、上記第２形態において、クランプ金具５１の遊端部を連結ピン３８に弾性係合させることで、ピン付きの連結金具３５(p)とクランプ金具５１とで孔付きの連結金具３７(h)を左右から挟み持ち、脱着される苗受け体２６(d)が横移動するのを阻止するように構成するもよい。これによると、苗受け体２６(d)が不用意に大きく上方揺動して係止突起４０ａと係止片４２との係合が外れたとしても苗受け体２６(d)が横移動して外れることを防止することができる。なお、苗受け体２６(d)を取外す際には、クランプ金具５１を連結ピン３８から外した後、苗受け体２６(d)を上方に揺動させて横移動操作すればよい。
【００５３】
（２）８条植え仕様の田植機に装備した上記実施例の予備苗のせ台８は、左右４条分づつの苗を収容するために４段積み仕様に構成されているが、６条植え仕様の田植機に装備した予備苗のせ台８では、左右３条分づつ苗Ｆを収容することになるので、苗Ｆ受け形態の切換えが可能な苗受け体２６(u)，(m)，(d)のみを備えた３段積み仕様に構成すればよい。
【図面の簡単な説明】
【００５４】
【図１】乗用型田植機の全体側面図
【図２】乗用型田植機の全体平面図
【図３】第２形態にした予備苗のせ台を示す側面図
【図４】予備苗のせ台を第２形態にした乗用型田植機の全体平面図
【図５】第１形態にした予備苗のせ台を示す正面図
【図６】中段の苗受け体の縦断側面図
【図７】上段および下段の苗受け体の支持構造を示す縦断正面図（イ）と中段の苗受け体の支持構造を示す縦断正面図（ロ）
【図８】苗受け体における苗ストッパ構造を示す縦断正面図
【図９】苗受け体の縦断正面図
【図１０】第１形態の予備苗のせ台を示す側面図
【図１１】第２形態の予備苗のせ台を示す側面図
【図１２】第２形態における予備苗のせ台の分解状態を示す平面図
【図１３】第２形態における予備苗のせ台の連結状態を示す平面図
【図１４】苗受け体のピン連結構造を示す横断平面図
【図１５】苗受け体のピン連結構造を示す側面図
【図１６】苗受け体のピン連結構造を示す分解斜視図
【図１７】苗受け体のピン連結構造の別実施例を示す側面図（イ）と横断平面図（ロ）
【符号の説明】
【００５５】
３              乗用走行機体
８              予備苗のせ台
２５ 支柱
２６            最上段の苗受け体
２６(u)         上段の苗受け体（脱着式）
２６(m)         中段の苗受け体（固定式）
２６(d)         下段の苗受け体（脱着式）
Ｆ              苗
【図１】
0004764239.tif 000002
【図２】
0004764239.tif 000003
【図３】
0004764239.tif 000004
【図４】
0004764239.tif 000005
【図５】
0004764239.tif 000006
【図６】
0004764239.tif 000007
【図７】
0004764239.tif 000008
【図８】
0004764239.tif 000009
【図９】
0004764239.tif 000010
【図１０】
0004764239.tif 000011
【図１１】
0004764239.tif 000012
【図１２】
0004764239.tif 000013
【図１３】
0004764239.tif 000014
【図１４】
0004764239.tif 000015
【図１５】
0004764239.tif 000016
【図１６】
0004764239.tif 000017
【図１７】
0004764239.tif 000018